(57)【要約】  【課題】  主要部材である弾性リング体の交換を容易に行え、構造が簡単で、安価な止水栓を提供する。  【解決手段】  ハンドホールＢに設けた透孔２０の口縁に重ね合わせる定置盤３と前記透孔２０に係合する移動盤５との間に弾性リング体２を介在させ、該弾性リング体２を前記両盤３，５で挟圧してその周端を透孔２０の壁面２０´に圧接させて透孔２０を閉塞するようにする。そして、前記移動盤５に組付け材６を突設し、前記弾性リング体２および定置盤３に設けた貫挿孔８を通じて定置盤３の外側に突出させるこの組付け材６の先端部に、互いに同軸上にして反対方向に突出する断面円形の支軸７，７を設ける。また、該支軸７を遊嵌する組付け孔１０を、前記組付け材６の前記先端部を弾性変形して介在させる、操作レバー４の一対の分岐部片４Ａ，４Ａに、前記定置盤３の外側面に連続的に接する円弧状の基端縁に対して偏心させて設ける。【選択図】    図６
2005348523.tif 000002
【特許請求の範囲】
【請求項１】
ハンドホール等の中継ボックスに設けた透孔の口縁に重ね合わせる定置盤と前記透孔に係合する移動盤との間に弾性リング体を介在させ、該弾性リング体を前記両盤で挟圧してその周端を前記透孔の壁面に圧接させて該透孔を閉塞するようにした止水栓において、前記移動盤に組付け材を突設し、前記弾性リングおよび前記定置盤に設けた貫挿孔を通じて定置盤外側に突出させるこの組付け材の先端に、互いに同軸上にして反対方向に突出する断面円形の支軸を設け、該支軸を遊嵌する組付孔を、前記組付け材の前記先端部を弾性変形して挟持する、操作レバーの一対の分岐部片に、前記定置盤の外側面に連続的に接する円弧状の基端縁に対して偏心させて設けた、ハンドホール等の中継ボックス用止水栓。
【発明の詳細な説明】
【技術分野】
【０００１】
本発明は、地下にケーブルなどを配線する際、該ケーブルを保護するために地下に埋設する管体間に配する、コンクリート製のハンドホール等の中継ボックスに設けた透孔の止水栓に関するもので、概し、ハンドホールの底壁に設けた排水用の孔や側壁に設けた管体と接続するための予備の孔を閉塞して外部からの水を止水するために用いるものである。
【背景技術】
【０００２】
空管路（中継ボックス）口の口縁に接触させて定置する定置盤と空管路内に収設する移動盤との間に外周面に凹凸部を形成した弾性の筒状体を介在させ、前記移動盤を前記定置盤方向に移動させて前記筒状体を縮小し、空管路の内側方向に突出させた膨出部で構成される傾斜状の壁面に圧接させて管路口を閉塞するようにした構造のもので、移動盤の移動操作は、移動盤に突設した連結杆の先端を筒状体および定置盤の透孔を通じて定置盤の外側に突出させ、これに基部を連結ピンで回動自在に枢着した操作レバーの回動操作によって行うようにした構造のものがある（例えば、特許文献１）。
【０００３】
【特許文献１】特許第３４８３３２５号公報
【発明の開示】
【発明が解決しようとする課題】
【０００４】
前記従来例は、筒状体を縮小させ、その結果、空管路の内側方向の突出させた膨出部で構成される傾斜状の壁面に圧接させて定置盤と該筒状体の弾性変形した部分とで前記膨出部を挟持させるようにして水圧に対処して止水する構造のため、また、単なる止水栓として用いるには不必要な程構造が複雑で、水圧を考慮しないで済む単なる水漏れ防止のための止水栓として適用するには経済的ではない。また、筒状体が経時変化その他の原因で取替えの必要性が生じても、これに対処する手段が講じられていないので、この意味からも構成上経済的といえない。
【０００５】
本発明は、斯様な従来例の欠点に着目して創案したものである。
【課題を解決するための手段】
【０００６】
ハンドホール等の中継ボックスに設けた透孔の口縁に重ね合わせる定置盤と前記透孔に係合する移動盤との間に弾性リング体を介在させ、該弾性リング体を前記両盤で挟圧してその周端を前記透孔の壁面に圧接させて該透孔を閉塞するようにした止水栓において、前記移動盤に組付け材を突設し、前記弾性リングおよび前記定置盤に設けた貫挿孔を通じて定置盤外側に突出させるこの組付け材の先端に、互いに同軸上にして反対方向に突出する断面円形の支軸を設け、該支軸を遊嵌する組付孔を、前記組付け材の前記先端部を弾性変形して挟持する、操作レバーの一対の分岐部片に、前記定置盤の外側面に連続的に接する円弧状の基端縁に対して偏心させて設けた構成とするのである。
【発明の効果】
【０００７】
本発明によれば、ハンドホール等の中継ボックスの透孔の口縁に定置盤を定置させて操作レバーを回動させると、該操作レバーを構成する分岐部片の組付け孔は、移動盤側の組付け材に設けた支軸に組付け、かつ、分岐部片の外周縁に対して偏心位置に配した関係にあるから、移動盤は組付け材を介して定置盤側に引き寄せられ、この結果、弾性リング体はこれら両盤に挟圧され、管路の壁面に圧接して管路は閉塞され、止水される。
【０００８】
そして、必要に応じて分岐部片を支軸より離脱させることができるから、弾性リング体の劣化に対処してこれを交換することができ、実用的である。
【実施例】
【０００９】
図面は本発明に係るハンドホール等の中継ボックス用止水栓の一実施例を示し、図１は正面図、図２は平面図、図３は縦断面図、図４は分解斜視図、図５は管路に組合わせた状態の断面図、図６は管路の閉塞状態の断面図である。
【００１０】
図中、Ａは中継ボックス用止水栓で、止水栓Ａは、基体１、弾性リング体２、定置盤３および操作レバー４を互いに組付けて構成したもので、前記基体１は前記定置盤３との相対向面側に、中央の平坦部５ｂから周端方向に傾斜面５ａを形成した、ほぼ円錐台形状の移動盤５の前記平坦部５ｂに組付け材６を突設して構成したものである。
【００１１】
移動盤５に突設した前記組付け材６は、全体として正面視やや逆Ｔ字状の輪郭形を備え、しかも、断面Ｈ状の主体部６ａの先端に、該主体部６ａの前記平坦部側の幅広い基部６ａ´と同長の円筒体部６ｂを横設するようにした形態にして、先端に前記円筒体部６ｂで構成する断面円形の一対の支軸７，７を互いに同軸上にして反対方向に突出させて設けたものである。
【００１２】
弾性リング体２は、断面円形体で成り、組付け材６の主体部６ａの基部６ａ´の幅広い部分の幅又はこれと同長の円筒体部６ｂ（支軸７を構成する）の長さより内径を大きくして、組付け材６を貫挿するようにして基体１に組付けたものである。
【００１３】
前記定置盤３は、基体１の前記移動盤５との相対向面側に、中央の方形の貫挿孔８の縁部から周端方向に傾斜する傾斜面３ａを備え、該傾斜面３ａの周端に前記貫挿孔８を取り囲む段部９を設け、前記貫挿孔８の方形状を基体１の前記組付け材６が成す平面視方形輪郭形状とほぼ一致させた形態にしたものである。
【００１４】
操作レバー４は、基端側を二又分岐状にして一対の分岐部片４Ａ，４Ａを備えたもので、分岐部片４Ａには該分岐部片４Ａの周縁すなわち操作レバー４の円弧状の基端縁４´，４´の円弧形の偏心位置にして円形の組付け孔１０を設け、該組付け孔１０は前記支軸７が成す円形の径とほぼ一致する径を備えると共に、前記支軸７と組付け材６の前記主体部６ａの幅広い部分６ａ´とで構成する切欠状部１１に、この組付け孔１０と円弧状の基端縁４´間の操作レバー４の基部部分が介在されるように、前記の通り偏心位置に設けてある。
【００１５】
すなわち、組付け孔１０は、前記円弧状の基端縁４´に沿う方向の一端から他の一端方向に、該組付け孔１０と基端縁４´との離開距離が次第に長くなる位置にして基端縁４´の前記一端に偏する位置に配してある。
【００１６】
実施例の止水栓Ａは、前記の通り、これら基体１、弾性リング体２、定置盤３および操作レバー４を互いに組付けて構成され、組付け材６を弾性リング体２および定置盤３に設けた方形の貫挿孔８を順次貫通されるようにして基体１に弾性リング体２と定置盤３を組合わせ、定置盤３（の方形透孔８）より突出する組付け材６の先端の突子７を、該組付孔１０を備えた分岐部片４Ａ，４Ａをその弾性変形を利用して該分岐部片４Ａ，４Ａ間を拡開するようにして部片４Ａ，４Ａ間を移動させて組付け孔１０に係合することによって構成したものである。
【００１７】
そして、組付孔１０は、操作レバー４の基部（分岐部片４Ａ，４Ａ）に前記の通りの関係で偏心位置にして配してあるので、該組付け孔１０と操作レバー４の円弧状の基端縁４´との離開距離は基端縁４´の円弧形に沿う方向の一端４´ａから他の一端４´ｂ方向に次第に長くなり、このため、基端縁４´の一端４´ａ側を定置盤３に配する側にして操作レバー４を基体１側の支軸７を中心に回動させると、基端縁４´は円弧形に沿って位置を代えて定置盤３に接し、弾性リング体２の弾性に抗して定置盤３を次第に圧力が大きくなって押圧することとなる。
【００１８】
しかして、コンクリート製のハンドホールＢ（マンホールでも良い）に設けた排水用の孔２０の口縁に定置盤３の段部９を係止するようにして、操作レバー４を支軸７を軸にして回動させると、操作レバー４の基端縁４´はその回動に伴って位置を変えて定置盤３に接触し、従って、カムとなって基体１の組付け材６を運動させるため、該組付け材６を組付けた移動盤５は弾性リング体２の付勢に抗して定置盤３側に接近して弾性リング体２を挟圧し、この結果、弾性リング体２は両盤３，４間から膨出して前記孔２０の壁面２０´に圧接し、土中からの孔２０を通じてのハンドホールＢへの湧出水の侵入の防止状態を得られ、操作レバー４の一側の倒伏位置から反転して再び他の一側への倒伏状態へと変位した状態となる。そして、必要に応じて、操作レバー４を原位置へと復帰させると、リング体２の壁面２０´への圧接状態は解放されるため、透孔２０より止水栓Ａを離脱させることができるのである。
【００１９】
なお、孔２０はハンドホールＢを戸外での保管中の雨水の溜りを防ぐためのものである。
【図面の簡単な説明】
【００２０】
【図１】正面図。
【図２】平面図。
【図３】縦断面図。
【図４】分解斜視図。
【図５】管路に組合わせた状態の断面図。
【図６】管路の閉塞状態の断面図。
【符号の説明】
【００２１】
２      弾性リング体
３      定置盤
４      操作レバー
５      移動盤
６      取付け材
７      支軸
８      貫挿孔
１０    組付け孔
【図１】
2005348523.tif 000003
【図２】
2005348523.tif 000004
【図３】
2005348523.tif 000005
【図４】
2005348523.tif 000006
【図５】
2005348523.tif 000007
【図６】
2005348523.tif 000008